(57)【要約】【課題】試験結果を容易に確認できる。【解決手段】試験対象物を収容するための収容口を有する容器と、前記容器内の前記試験対象物に前記収容口から圧力を加える加圧装置と、前記加圧装置が前記試験対象物に圧力を加えるときの前記加圧装置の前記試験対象物に対する変位量を計測する変位計と、前記圧力を計測する圧力計と、前記変位量が一定量になると、音を発生する音発生装置と、を備える。【選択図】  図１
2013068464.tif 000002
【特許請求の範囲】
【請求項１】
試験対象物を収容するための収容口を有する容器と、
前記容器内の前記試験対象物に前記収容口から圧力を加える加圧装置と、
前記加圧装置が前記試験対象物に圧力を加えるときの前記加圧装置の前記試験対象物に対する変位量を計測する変位計と、
前記圧力を計測する圧力計と、
前記変位量が一定量になると、音を発生する音発生装置と、
を備えたことを特徴とする試験装置。
【請求項２】
前記一定量は、変更可能な量である
ことを特徴とする請求項１に記載の試験装置。
【請求項３】
前記試験対象物の種類夫々と、前記試験対象物の種類夫々に対応する前記一定量夫々と、を対応付けて記憶する記憶装置、を備え、
前記試験対象物のうち一の試験対象物が前記容器に収容された場合、前記音発生装置は、前記記憶装置に記憶されている当該試験対象物に対応する前記一定量に基づいて、音を発生する
ことを特徴とする請求項２に記載の試験装置。
【請求項４】
収容口を有する容器に試験対象物を収容するステップと、
前記容器内の前記試験対象物に前記収容口から加圧装置によって圧力を加えるステップと、
前記試験対象物に圧力を加えるときの前記加圧装置の前記試験対象物に対する変位量を計測するステップと、
前記圧力を計測するステップと、
前記変位量が一定量になると、音を発生するステップと、
を備えたことを特徴とする試験方法。
【発明の詳細な説明】
【技術分野】
【０００１】
本発明は、試験装置、試験方法に関する。
【背景技術】
【０００２】
例えば、土等の試験対象物に対して圧力を加えて、試験対象物に加えられた圧力と試験対象物に対する装置の変位量とを測定する装置として、材料試験機（特許文献１）が知られている。この材料試験機では、試験対象物に対して加えられた圧力と、試験対象物に対する材料試験機の変位量とを材料試験機の表示器に表示していた。
【先行技術文献】
【特許文献】
【０００３】
【特許文献１】特開２００３−１８５５４６号公報
【発明の概要】
【発明が解決しようとする課題】
【０００４】
特許文献１の材料試験機では、例えば試験対象物に対する材料試験機の変位量が一定量になったときの、試験対象物に加えられた圧力を確認する場合、材料試験機に表示された変位量と、圧力とを同時に確認する必要がある。よって、試験結果を確認する作業が煩雑となる虞があった。
【課題を解決するための手段】
【０００５】
前述した課題を解決する主たる本発明は、試験対象物を収容するための収容口を有する容器と、前記容器内の前記試験対象物に前記収容口から圧力を加える加圧装置と、前記加圧装置が前記試験対象物に圧力を加えるときの前記加圧装置の前記試験対象物に対する変位量を計測する変位計と、前記圧力を計測する圧力計と、前記変位量が一定量になると、音を発生する音発生装置と、を備えたことを特徴とする試験装置である。
【０００６】
本発明の他の特徴については、添付図面及び本明細書の記載により明らかとなる。
【発明の効果】
【０００７】
本発明によれば、試験結果を容易に確認ができる。
【図面の簡単な説明】
【０００８】
【図１】本発明の第１実施形態における試験装置を示す図である。
【図２】本発明の第１実施形態における容器と圧縮板を示す斜視図である。
【図３】本発明の第１実施形態における試験装置の機能を示すブロック図である。
【図４】本発明の第１実施形態における試験装置の動作を示すフローチャートである。
【図５】本発明のその他の実施形態における容器とコーンを示す斜視図である。
【図６】本発明のその他の実施形態におけるコーンの詳細を示す図である。
【発明を実施するための形態】
【０００９】
本明細書および添付図面の記載により、少なくとも以下の事項が明らかとなる。
【００１０】
[第１実施形態]
＝＝＝試験装置＝＝＝
図１は、本実施形態における試験装置を示す図である。尚、容器１の下部、アクチュエータ５１、可動アーム５２は見えない状態となっているが、説明の便宜上、点線で示される。図２は、本実施形態における容器と圧縮板を示す斜視図である。図３は、本実施形態における試験装置の機能を示すブロック図である。
【００１１】
試験装置１００は、容器１内の試験対象物８１に対して圧力を加えて、圧力と変位とを計測する圧縮試験を行うための装置である。尚、圧力、変位の詳細については後述する。試験装置１００は、容器１、圧力計２、変位計３、可動装置４、制御装置９を含んで構成される。尚、本実施形態において、Ｙ軸は、容器１が移動する鉛直方向（上下方向）に沿う軸であり、上側に向かう方向を＋Ｙ方向とし、下側に向かう方向を−Ｙ方向とする。Ｚ軸は、可動装置４におけるダイヤル４４が設けられる正面と、正面とは反対側の裏面に対して直行する方向（前後方向）に沿う軸であり、正面に向かう方向を＋Ｚ方向とし、裏面に向かう方向を−Ｚ方向とする。Ｘ軸は、可動装置４における両側面に対して直行する方向（左右方向）に沿う軸であり、一方側の側面に向かう方向を−Ｘ方向とし、他方側の側面に向かう方向を＋Ｘ方向とする。
【００１２】
容器１は、試験対象物８１を収容するための容器である。容器１は、例えば円柱形状を呈する。容器１は、試験対象物８１を内部に収容できるように、試験対象物８１を収容するための略円形状の収容口が例えば上面に設けられた中空構造となっている。容器１の側面における上側には、変位計３の接触子３１が当接する当接板６７が固定される。尚、当接板６７の詳細については、後述する。
【００１３】
変位計３は、容器１内の試験対象物８１に対して圧力を加えるときの変位量を計測する。尚、変位計３、変位量の詳細については後述する。
【００１４】
圧力計２は、容器１内の試験対象物８１に対して加えられた圧力を計測する。尚、圧力計２の詳細については後述する。
【００１５】
可動装置４は、容器１内の試験対象物８１に対して圧力を加える際、容器１を上下方向に移動させる装置である。可動装置４は、例えば略矩柱形状を呈する。可動装置４の上側には、圧力計２、変位計３を取り付けるためのフレームが設けられる。尚、フレーム、可動装置４の詳細については後述する。
【００１６】
制御装置９は、試験装置１００の動作を制御する。尚、制御装置９の詳細については後述する。
【００１７】
＝＝＝フレーム＝＝＝
以下、図１、図２を参照して、本実施形態におけるフレームについて説明する。  
フレームは、圧力計２、変位計３を取り付けるための例えば金属性のフレームである。フレームは、例えば一対の支柱６１、６２、クロスヨーク６３を有する。支柱６１は、支柱６１の長手方向が例えば上下方向に沿うように、可動装置４の上面における一方側に立設する。支柱６２は、支柱６１と同様な形状であり、支柱６１と同様に、支柱６２の長手方向が例えば上下方向に沿うように、可動装置４の上面における他方側に立設する。クロスヨーク６３は、支柱６１、６２の上部を相互に固定するように、支柱６１、６２の上部に横架される。支柱６２には、変位計３をフレームに対して固定するための取り付け部材６５が設けられる。支柱６１、６２には夫々、圧力計２をフレームに対して固定するための取り付け部材２４、２３が設けられる。
【００１８】
＝＝＝可動装置＝＝＝
以下、図１を参照して、本実施形態における可動装置について説明する。  
可動装置４は、前述の通り、容器１内の試験対象物８１に対して圧力を加える際、容器１を上下方向に移動させる例えば略矩柱形状を呈する装置である。可動装置４は、スタートスイッチ４２、スピーカ４３、ダイヤル４４、アクチュエータ５１、可動アーム５２を有する。
【００１９】
アクチュエータ５１は、可動アーム５２を上下方向に移動させるための例えば油圧ポンプである。アクチュエータ５１は、可動装置４の内部に配設される。
【００２０】
可動アーム５２は、アクチュエータ５１によって上下方向に移動するアームである。可動アーム５２は、可動アーム５２の長手方向が上下方向に沿うように、可動装置４の内部に配設される。可動アーム５２の上側の先端には、容器１の下面が固定される。尚、駆動装置４の上面には、容器１の下部を挿入するための開口が設けられているものとする。
【００２１】
スタートスイッチ４２は、圧縮試験を開始する際に押下するスイッチである。
【００２２】
スピーカ４３は、可動アーム５２が所定距離だけ移動した際に音を発生する。尚、スピーカ４３の詳細については、後述する。
【００２３】
ダイヤル４４は、可動アーム５２を上下方向に移動させる際の移動速度を調整するためのダイヤルである。例えば、ダイヤル４４をＡ１方向に回動させた場合、可動アーム５２を移動させる移動速度を速くする変速指令が制御装置９に送信されるものとする。一方、例えば、ダイヤル４４をＡ１とは反対方向に回動さえた場合、可動アーム５２を移動させる移動速度を遅くする変速指令が制御装置９に送信されるものとする。
【００２４】
＝＝＝測定対象物への加圧、圧力計＝＝＝
以下、図１、図２を参照して、本実施形態における測定対象物への加圧、圧力計について説明する。
【００２５】
圧力計２は、前述の通り、容器１内の試験対象物８１に対して加えられた圧力を計測する。圧力計２は、本体２２、ロードセル２１を有する。ロードセル２１は、例えば前後方向に所定の幅を持ったリング形状を呈する。ロードセル２１は、容器１の上側に設けられるように、取り付け部材２４、２３夫々によって支柱６１、６２に夫々固定される。本体２２は、例えばロードセル２１に取り付けられた歪ゲージ（不図示）から出力される信号に基づいて、試験対象物８１に対して加えられた圧力を表示する。本体２２は、例えば、試験対象物８１に対して加えられた圧力を示す圧力情報を、制御装置９に送信する。ここで、加圧棒７１が圧力計２に設けられる。加圧棒７１は、測定対象物８１に対して圧力を加えるための棒部材である。加圧棒７１の長手方向が上下方向に沿った状態で、加圧棒７１の上側の端部がロードセル２１における上側の内壁に結合される。加圧棒７１の下側の端部には、試験対象物８１に圧力を加える加圧板７２が取り付けられる。尚、加圧棒７１、加圧板７２、可動装置４が本実施形態における加圧装置に相当する。加圧板７２は、測定対象物８１に対して、容器１の上面に設けられた略円形状の収容口から、測定対象物８１に圧力を加えられるように、例えば略円形状を呈する板部材である。加圧板７２は、前後方向及び左右方向に沿った状態で、加圧板７２の上面における略中央に、加圧棒７１の下側の端部が結合される。尚、ロードセル２１における下側には、加圧棒７１を挿通するための挿通孔が設けられているものとする。
【００２６】
例えば、可動アーム５２によって容器１が上側に移動した場合、加圧板７２の下面と試験対象物８１とが当接し、試験対象物８１に対して容器１の収容口から圧力が加えられることになる。その際、ロードセル２１における加圧棒７１と結合する部分に対して、上向きの力が加えられることになる。
【００２７】
その後、例えば、可動アーム５２によって容器１が下側に移動した場合、試験対象物８１に対して容器１の収容口から加えられる圧力は減少する。その際、ロードセル２１における加圧棒７１と結合する部分に対して、上向きに加えられる力も減少することになる。
【００２８】
＝＝＝変位計＝＝＝
以下、図１を参照して、本実施形態における変位計について説明する。変位計３は、加圧板７２の試験対象物８１に対する変位量を計測する。変位計３は、本体３２、接触子３１を有する例えば接触式の変位計である。接触子３１が当接板６７に上側から接触するように、変位計３は、取り付け部材６５によって支柱６２に固定される。当接板６７は、前述したように、容器１の側面における上側に固定されている。よって、容器１が上下方向へ移動したとき、当接板６７は、容器１の上下方向への移動距離と同じ距離だけ上下方向へ移動する。よって、加圧棒７１、ロードセル２１によって固定された加圧板７２の、容器１内に収容された試験対象物８１に対する変位量（以下、「加圧装置の変位量」という）を、変位計３によって計測できることになる。本体３２は、接触子３１から出力される信号に基づいて、加圧装置の変位量を表示する。本体３２は、例えば、加圧装置の変位量を示す変位情報を、制御装置９に送信する。
【００２９】
＝＝＝制御装置＝＝＝
以下、図１乃至図３を参照して、本実施形態における制御装置について説明する。
【００３０】
制御装置９は、試験装置１００を制御する装置である。制御装置９は、例えば可動装置４の内部に配設される構成としてもよいし、例えば可動装置４の外部に設けられる構成としてもよい。制御装置９は、圧力計２、変位計３、アクチュエータ５１、スピーカ４３と通信できるように、例えば通信線Ｌ１を介して接続される。制御装置９は、記憶部９１（記憶装置）、判断部９２、制御部９３、入力部９４、送受信部９５を含んで構成される。尚、判断部９２、制御部９３、スピーカ４３が本実施形態における音発生装置に相当する。
【００３１】
送受信部９５は、圧力計２、変位計３、アクチュエータ５１、スピーカ４３との間で通信を行う。
【００３２】
入力部９４は、例えば、容器１内に収容せれた試験対象物８１の種類、後述する一定量を制御装置９に対して入力するキーボードである。
【００３３】
記憶部９１は、例えば第１の領域９１１、第２の領域９１２、第３の領域９１３を有する。第１の領域９１１には、例えば制御装置９を制御するためのプログラムが記憶される。第２の領域９１２には、例えば、試験対象物８１の種類夫々と、試験対象物８１の種類夫々に対応する一定量とが対応付けられた状態で記憶される。ここで、試験対象物８１は、例えば、粘着性のある粘土（種類Ａ）、砂や礫を多く含んで粘着性の少ない砂質土（種類Ｂ）等の、複数種類の試験対象物の中の一つの試験対象物である。一定量は、スピーカ４３に音を発生させるときの加圧装置の変位量である。一定量は、試験対象物８１の種類毎に設けられ、入力部９４によって変更できる量である。第２の領域９１２には、例えば、種類Ａ、Ｂの試験対象物８１の一定量として夫々、０．０２センチメートル、０．０５センチメートルと記憶されているものとする。つまり、例えば、種類Ａの試験対象物８１について、圧縮試験を行う場合、加圧装置の変位量が０．０２センチメートルになる都度、スピーカ４３から音が発生することになる。第３の領域９１３には、圧縮試験を行う際の、加圧装置の変位量の最大値を示す最大変位情報が記憶される。
【００３４】
判断部９２は、入力部９４からの入力に基づいて、容器１内に収容せれた試験対象物８１の種類を把握する。判断部９２は、変位計３から送信される変位情報に基づいて、加圧装置の変位量が、入力部９４から入力された試験対象物８１の種類に対応する一定量に達したか否かを判断する。加圧装置の変位量が一定量に達した場合、判断部９２は、加圧装置の変位量が一定量に達した後の加圧装置の変位量が一定量に達したか否かを、加圧装置の変位量が最大変位情報に示される変位量に達するまで繰り返し判断する。判断部９２は、加圧装置の変位量が最大変位情報に示される変位量に達したか否かを判断する。
【００３５】
加圧装置の変位量が一定量に達したと判断部９２が判断した場合、制御部９３は、スピーカ４３から音を発生させる。制御部９３は、判断部９２の判断結果、第１の領域９１１に記憶されたプログラム、変速ダイヤル４４を回動させた際に送信される変速指令に基づいて、アクチュエータ５１を制御する。例えば、加圧装置の変位量が最大変位情報に示される変位量に達したと判断部９２が判断した場合、制御部９３は、可動アーム５２が下側に移動するように、アクチュエータ５１を制御する。例えば、可動アーム５２を移動させる移動速度を速くする変速指令を制御装置９が受信した場合、制御部９３は、可動アーム５２の移動速度が速くなるように、アクチュエータ５１を制御する。一方、例えば、可動アーム５２を移動させる移動速度を遅くする変速指令を制御装置９が受信した場合、制御部９３は、可動アーム５２の移動速度が遅くなるように、アクチュエータ５１を制御する。
【００３６】
＝＝＝試験装置の動作＝＝＝
以下、図１乃至図４を参照して、本実施形態における試験装置の動作について説明する。図４は、本実施形態のおける試験装置の動作を示すフローチャートである。例えば、容器１内に種類Ａの測定対象物８１を収容して、測定対象物８１の圧縮試験を行う際の試験装置１００の動作について説明する。スタートスイッチ４２を押下して、制御装置９を制御するためのプログラムの実行が開始され、制御装置９が試験装置１００の制御動作を開始したところから説明する。
【００３７】
可動アーム５２を上側に移動するように、制御部９３は、アクチュエータ５１を制御する（ステップＳ１）。尚、制御部９３は、ダイヤル４４の回動によって送信される変速指令に基づいて、可動アーム５２の移動速度が一定になるように、アクチュエータ５１を制御するものとする。可動アーム５２によって容器１が上側に移動する。加圧板７２の下面と試験対象物８１とが当接し、試験対象物８１に対して容器１の収容口から圧力が加えられることになる。又、容器１が上側へ移動したときの、加圧装置の変位量を示す変位情報が変位計３から例えば一定時間毎に送受信部９５に送信される。尚、変位計３から変位情報が送信される一定時間は、加圧装置の変位量の変化を把握できるように、十分短い時間とする。判断部９２は、入力部９４からの入力に基づいて、容器１内に収容せれた試験対象物８１の種類を例えば種類Ａであると把握する（ステップＳ２）。判断部９２は、変位計３から送信される変位情報に基づいて、加圧装置の変位量が種類Ａに対応する一定量に達したか否かを判断する（ステップＳ３）。例えば、加圧装置の変位量が種類Ａに対応する一定量に達したと判断部９２が判断した場合（ステップＳ３のＹＥＳ）、制御部９３は、スピーカ４３に音を発生させる（ステップＳ４）。その後、判断部９２は、加圧装置の変位量が最大変位情報に示される変位量に達したか否かを判断する（ステップＳ５）。ここで、上記ステップＳ３の判断で、例えば、加圧装置の変位量が種類Ａに対応する一定量に達していないと判断部９２が判断した場合（ステップＳ３のＮＯ）、上記ステップＳ４の制御動作は行われず、判断部９２は、上記ステップ５の判断を行う。例えば、上記ステップＳ５の判断の結果、加圧装置の変位量が最大変位情報に示される変位量に達していないと判断部９２が判断した場合（ステップＳ５のＮＯ）、上記ステップＳ３の判断を再度行う。一方、例えば、上記ステップＳ５の判断の結果、加圧装置の変位量が最大変位情報に示される変位量に達したと判断部９２が判断した場合（ステップＳ５のＹＥＳ）、制御部９３は、可動アーム５２が下側に移動するように、アクチュエータ５１を制御した（ステップＳ６）後、試験装置１００の制御動作を終了する。この場合、可動アーム５２によって容器１が下側に移動する。試験対象物８１に対して容器１の収容口から加圧板７２によって加えられる圧力が減少することになる。
【００３８】
前述したように、容器１に収容された試験対象物８１に対して、容器１の収容口から圧力が加えられる。変位計３は、加圧装置の変位量を計測する。圧力計２は、試験対象物８１に対して加えられる圧力を計測する。加圧装置の変位量が一定量に達したと判断部９２が判断した場合、制御部９３は、スピーカ４３に音を発生させる。よって、例えば、スピーカ４３で音が発生したときに圧力計２に表示された圧力を記録することによって、圧縮試験を行う際、加圧装置の変位量が一定量になったときの、試験対象物８１に対して加えられる圧力を確実に記録できる。又、例えば圧縮試験の試験結果を記録する作業員は、圧縮試験を行う際、圧力計２の表示のみ確認すればよいので、当該作業員の作業負担を軽減できる。よって、例えば一人の作業員が、試験結果を容易に確認できる。
【００３９】
又、一定量は、例えば入力部９４によって変更できる量である。よって、例えば一定量を変更することによって、スピーカ４３に音を発生させるときの加圧装置の変位量を変更することができる。よって、利便性の高い試験装置１００を提供できる。
【００４０】
又、試験対象物８１の種類夫々と、試験対象物８１の種類夫々に対応する一定量とが対応付けられた状態で第２の領域９１２に記憶される。判断部９２は、変位計３から送信される変位情報に基づいて、加圧装置の変位量が、入力部９４から入力された試験対象物８１の種類に対応する一定量に達したか否かを判断する。加圧装置の変位量が一定量に達したと判断部９２が判断した場合、制御部９３は、スピーカ４３から音を発生させる。よって、試験装置１００は、例えば、試験対象物８１の種類に対応する一定量に基づいて、スピーカ４３から音を発生させる。スピーカ４３から音を発生させるタイミングを、試験対象物８１の種類に応じて変更できるので、試験装置１００の利便性を更に向上できる。
【００４１】
[その他の実施形態]
＝＝＝試験装置＝＝＝
本実施形態における試験装置１００ｂは、第１実施形態における制御装置９、圧縮板７２を、制御装置９ｂ、コーン７２ｂに変更したものである。尚、制御装置９ｂ、コーン７２ｂ以外の構成は、第１実施形態における試験装置１００と同様であるので、その説明は省略する。
【００４２】
以下、図１、図３、図５、図６を参照して、本実施形態における試験装置１００ｂについて説明する。図５は、本実施形態における容器とコーンを示す斜視図である。図６は、本実施形態におけるコーンの詳細を示す図である。
【００４３】
試験装置１００ｂは、容器１内の試験対象物８１に対してコーン７２ｂを貫入して、貫入抵抗力と貫入変位量とを計測する貫入試験を行うための装置である。尚、貫入抵抗力、貫入変位量、コーン７２ｂの詳細については後述する。  
試験装置１００ｂは、制御装置９ｂを含んで構成される。  
制御装置９ｂは、試験装置１００ｂの動作を制御する。尚、制御装置９ｂの詳細については後述する。
【００４４】
＝＝＝コーン＝＝＝
以下、図１、図６、図７を参照して、本実施形態におけるコーンについて説明する。
【００４５】
コーン７２ｂは、貫入試験を行うときに用いられる治具である。コーン７２ｂは、例えば円錐形状を呈する。尚、コーン７２ｂの先端角Θ、直径Ｌ２、高さＬ４は夫々、例えば３０度、数十ミリメートル、数十ミリメートルに設定されているものとする。容器１が可動アーム５２によって上側に移動した際、コーン７２ｂが、コーン７２ｂの頂点から容器１内の測定対象物８１ｂに貫入するように、コーン７２ｂの底面における略中央に、加圧棒７１の下側の端部が結合される。
【００４６】
例えば、可動アーム５２によって容器１が上側に移動した場合、コーン７２ｂが試験対象物８１に貫入されることになる。その際、ロードセル２１における加圧棒７１と結合する部分に対して、上向きの力が加えられることになる。尚、この上向きの力が、貫入抵抗力である。コーン７２ｂの頂点が試験対象物８１の表面に接してから、コーン７２ｂが試験対象物８１の内部に貫入した距離が、貫入変位量である。
【００４７】
＝＝＝制御装置＝＝＝
以下、図１、図３、図５、図６を参照して、本実施形態における制御装置について説明する。
【００４８】
制御装置９ｂは、試験装置１００ｂを制御する装置である。制御装置９ｂは、例えば可動装置４の内部に配設される構成としてもよいし、例えば可動装置４の外部に設けられる構成としてもよい。尚、加圧棒７１、コーン７２ｂ、可動装置４が本実施形態における加圧装置に相当する。制御装置９ｂは、記憶部９１ｂ、判断部９２ｂを含んで構成される。
【００４９】
記憶部９１ｂは、例えば、第２の領域９１２ｂ（記憶装置）を有する。第２の領域９１２ｂには、例えば、試験対象物８１の種類夫々と、試験対象物８１の種類夫々に対応する一定量とが対応付けられた状態で記憶される。例えば、種類Ａの試験対象物８１の一定量として、５センチメートル、７．５センチメートル、１０センチメートルと記憶され、種類Ｂの試験対象物８１の一定量として、３センチメートル、６センチメートル、９センチメートルと記憶されているものとする。
【００５０】
判断部９２ｂは、入力部９４からの入力に基づいて、容器１内に収容せれた試験対象物８１の種類を把握する。判断部９２ｂは、変位計３から送信される変位情報に基づいて、貫入変位量が、入力部９４から入力された試験対象物８１の種類に対応する一定量に達したか否かを順次判断する。例えば、試験対象物８１の種類に対応する一定量が、５センチメートル、７．５センチメートル、１０センチメートルと記憶されている場合、判断部９２ｂは、貫入変位量が５センチメートルになったか否か、７．５センチメートルになったか否か、１０センチメートルになったか否かを順次判断する。判断部９２ｂは、貫入変位量が最大変位情報に示される変位量に達したか否かを判断する。
【００５１】
前述したように、試験対象物８１にコーン７２ｂを貫入することによって、試験対象物８１に対して圧力が加えられる。変位計３は、貫入変位量を計測する。圧力計２は、試験対象物８１に対して加えられた圧力（貫入抵抗力）を計測する。貫入変位量が一定量に達したと判断部９２ｂが判断した場合、制御部９３は、スピーカ４３に音を発生させる。尚、制御部９３、スピーカ４３、判断部９２ｂが本実施形態における音発生装置に相当する。例えば、スピーカ４３で音が発生したときに圧力計２に表示された圧力を記録することによって、貫入試験を行う際、貫入変位量が一定量になったときの、貫入抵抗力を確実に記録できる。従って、試験結果を容易に確認することができる。
【００５２】
尚、第１実施形態、その他の実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５３】
第１実施形態においては、加圧装置の変位量が一定量に達したときに音を発生する構成について説明したが、これに限定されるものではない。例えば、圧力計２から送信される圧力情報に基づいて、試験対象物８１に加えられた圧力が所定圧力になったときに音を発生する構成としてもよい。その場合、試験対象物８１に加えられた圧力が所定圧力のときの加圧装置の変位量を容易に記録できる。
【符号の説明】
【００５４】
１            容器
２            圧力計
３            変位計
４            可動装置
９、９ｂ      制御装置
２１          ロードセル
２２、３２    本体
２３、２４、６５  取り付け部材
３１          接触子
４２          スタートスイッチ
４３          スピーカ
４４          ダイヤル
５１          アクチュエータ
５２          可動アーム
６１、６２    支柱
６３          クロスヨーク
６７          当接板
７１          加圧棒
７２          加圧板
７２ｂ        コーン
８１          試験対象物
９１、９１ｂ  記憶部
９２、９２ｂ  判断部
９３          制御部
９４          入力部
９５          送受信部
１００、１００ｂ  試験装置
９１１        第１の領域
９１２、９１２ｂ  第２の領域
９１３        第３の領域
Ｌ１          通信線
【図１】
2013068464.tif 000003
【図２】
2013068464.tif 000004
【図３】
2013068464.tif 000005
【図４】
2013068464.tif 000006
【図５】
2013068464.tif 000007
【図６】
2013068464.tif 000008